【手続補正書】
【提出日】平成17年8月4日(2005.8.4)
【手続補正１】
【補正対象書類名】明細書
【補正対象項目名】発明の名称
【補正方法】変更
【補正の内容】
【発明の名称】記録媒体に対する読み取りおよび／または書き込み装置、データの記録方法および記録媒体
【手続補正２】
【補正対象書類名】明細書
【補正対象項目名】特許請求の範囲
【補正方法】変更
【補正の内容】
【特許請求の範囲】
【請求項１】
記録媒体（８）上に平行に記録されておりかつ少なくとも部分的に記録媒体の長手方向に延在しているデータトラック（３３ａ…３３ｌ）を複数個同時に読み出すように設定されている、記録媒体（８）に対する読み取り装置（１）を備えた記録媒体に対する読み取りおよび／または書き込み装置において、
該読み取り装置（１）は、記録媒体上に垂直方向に記憶されている付加情報を検出するのに適している
ことを特徴とする装置。
【請求項２】
前記読み取り装置（１）はホトセンサ（１３）を有しており、該ホトセンサは複数の並列なデータトラック（３３ａ…３３ｌ）を同時に検出する
請求項１記載の装置。
【請求項３】
前記ホトセンサ（１３）は、記録媒体（８）の所定の位置において前記付加情報を全体的に検出する
請求項２記載の装置。
【請求項４】
前記付加情報は記録媒体上での位置に相応している
請求項１記載の装置。
【請求項５】
更に、記録媒体（８）に対する駆動装置を有し、該駆動装置は制御ユニットによって制御されるようになっている装置であって、前記制御ユニットは前記読み取り装置（１）から、前記ホトセンサ（１３）が前記付加情報を何時検出するかを指示する制御信号を受信する
請求項１から４までのいずれか１項記載の装置。
【請求項６】
データを記録媒体（８）において平行に配置されたデータトラック（３３ａ…３３ｌ）に記憶しかつ更に記録媒体の位置を指示する付加情報を記録する方法において、
前記付加情報を前記データトラック（３３ａ…３３ｌ）に対して垂直に記録する
ことを特徴とする方法。
【請求項７】
前記データトラック（３３ａ…３３ｌ）を記録媒体の縁に対して平行に記録する方法であって、前記付加情報の部分を種々のデータトラック内に記録しかつ種々異なったデータトラックに含まれている、付加情報の部分をデータトラックに対して垂直方向に厳密に相関付ける
請求項６記載の方法。
【請求項８】
データをデジタル信号としてデータトラックに記録しかつ主データに先行して、読み取り装置の調整のために用いられるパイロット信号を送信する
請求項６記載の方法。
【請求項９】
前記付加情報を、個々のデータトラックにおいて前記パイロット信号が占めている、記録媒体上の空間領域に記憶する
請求項８記載のテープの記録方法。
【請求項１０】
記録媒体の縁に平行に配置されている複数の平行なデータトラック（３３ａ…３３ｌ）と、記録媒体（８）の位置を取り出すことができる付加情報（３５）とを含んでいる記録媒体において、
前記付加情報（３５）は記録媒体の縁に対して垂直な方向に配置されている
ことを特徴とする記録媒体。
【請求項１１】
前記付加情報はデータトラックの方向に対して垂直方向に厳密に相関付けられている
請求項１０記載の記録媒体。
【手続補正３】
【補正対象書類名】明細書
【補正対象項目名】０００１
【補正方法】変更
【補正の内容】
【０００１】
【発明の詳細な説明】
【発明の属する技術分野】
本発明は、記録媒体に対する読み取りおよび／または書き込み装置、例えばテープレコーダに関しかつ請求項１の上位概念に記載の記録媒体に対する読み取りおよび／または書き込み装置から出発している。以下、テープレコーダとは、信号、データまたは情報がアナログおよび／またはデジタル形で磁気テープ上に記録されおよび／またはそこから読み取られるすべてのデバイスを表すものとする。それとは無関係にこれらのデバイスは、別の機能を有していることができ、例えばこれらは電子カメラと組み合わされて使用することができる。
【手続補正４】
【補正対象書類名】明細書
【補正対象項目名】０００４
【補正方法】変更
【補正の内容】
【０００４】
【発明の課題、解決手段および実施の態様】
このことから出発して本発明の課題は、記録媒体を所要方向に搬送する必要なしに、新たに装入された読み取り装置の現時点の記録媒体位置が指示されるようにした、記録媒体に対する読み取りおよび／または書き込み装置を提供することである。
【手続補正５】
【補正対象書類名】明細書
【補正対象項目名】０００５
【補正方法】変更
【補正の内容】
【０００５】
この課題は本発明によれば、記録媒体に垂直方向に記憶されている付加情報を検出するのに読み取り装置が適しているようにしたことによって解決される。
【手続補正６】
【補正対象書類名】明細書
【補正対象項目名】０００６
【補正方法】変更
【補正の内容】
【０００６】
本発明の記録媒体に対する読み取りおよび／または書き込み装置により、記録媒体の情報を、このために長手方向に搬送する必要がなく読み取ることができるようになる。
【手続補正７】
【補正対象書類名】明細書
【補正対象項目名】０００７
【補正方法】変更
【補正の内容】
【０００７】
読み取り装置は有利には、ホトセンサを有しており、該ホトセンサはそれが複数の並列なデータトラックを同時に検出することができるように構成されている。ホトセンサは有利には、記録媒体の所定の位置においてその上に垂直方向に記憶されている付加情報を全体的に検出することができるような長さを有していることができる。付加情報が記録媒体状態情報を含んでいるようにすれば、特別効果的である。
【手続補正８】
【補正対象書類名】明細書
【補正対象項目名】０００８
【補正方法】変更
【補正の内容】
【０００８】
本発明の有利な実施例において、記録媒体に対する読み取りおよび／または書き込み装置は、記録媒体に対する駆動装置を有し、該駆動装置は制御ユニットによって制御されるようになっている。制御ユニットは読み取り装置から、ホトセンサが付加情報を何時検出するかを指示する制御信号を受信する。
【手続補正９】
【補正対象書類名】明細書
【補正対象項目名】０００９
【補正方法】変更
【補正の内容】
【０００９】
本発明は更に、信号またはデータを記録媒体に書き込むおよび／または記録媒体から読み取るための方法に関する。本発明は、データを記録媒体に平行に配置されたデータトラックに記憶しかつ更に記録媒体の位置を指示する付加情報を記録する方法から出発している。
【手続補正１０】
【補正対象書類名】明細書
【補正対象項目名】００１０
【補正方法】変更
【補正の内容】
【００１０】
しかしこの公知技術からはすべて、記録媒体、例えば磁気テープが長手方向に少なくとも短い距離だけ搬送されることを必要とするような方法が公知である。
【手続補正１１】
【補正対象書類名】明細書
【補正対象項目名】００１１
【補正方法】変更
【補正の内容】
【００１１】
このことから出発して、本発明の別の課題は、付加情報を記録媒体上に、記録媒体を搬送する必要なしに、記録媒体状態情報を読み取ることができるように記憶する方法を提供することである。
【手続補正１２】
【補正対象書類名】明細書
【補正対象項目名】００１２
【補正方法】変更
【補正の内容】
【００１２】
この課題は本発明によれば、付加情報をデータトラックに対して垂直に記憶するということによって特徴付けられる。
【手続補正１３】
【補正対象書類名】明細書
【補正対象項目名】００１４
【補正方法】変更
【補正の内容】
【００１４】
有利には、データをデジタル信号としてデータトラックに記録し、その際引き続く処理のために、所定の主データを読み出す前に、主データに先行して、読み取り装置の調整のために用いられるパイロット信号を送信する。この場合、付加情報を、個々のデータトラックにおいてパイロット信号が占めている、記録媒体上の空間領域に記憶することができる。
【手続補正１４】
【補正対象書類名】明細書
【補正対象項目名】００１５
【補正方法】変更
【補正の内容】
【００１５】
更に、本発明は、複数の平行なデータトラックが記録されている記録媒体に関する。
【手続補正１５】
【補正対象書類名】明細書
【補正対象項目名】００１６
【補正方法】変更
【補正の内容】
【００１６】
この形式の記録媒体は公知技術において公知である。しかしこれらは、記録媒体状態指示に関して冒頭に述べた形式の欠点を有している。
【手続補正１６】
【補正対象書類名】明細書
【補正対象項目名】００１７
【補正方法】変更
【補正の内容】
【００１７】
このことから出発して、本発明の課題は、記録媒体を所要方向に移動させる必要なしに、記録媒体状態情報を読み取ることができるようにする、記録媒体を提供することである。
【手続補正１７】
【補正対象書類名】明細書
【補正対象項目名】００１８
【補正方法】変更
【補正の内容】
【００１８】
この課題は、付加情報が記録媒体の縁に対して垂直な方向に記録されていることを特徴とする記録媒体によって解決される。
【手続補正１８】
【補正対象書類名】明細書
【補正対象項目名】００１９
【補正方法】変更
【補正の内容】
【００１９】
記録媒体の有利な実施例において、付加情報は平行なデータトラックの方向に対して垂直方向に厳密に相関付けられているようにすることができる。
【手続補正１９】
【補正対象書類名】明細書
【補正対象項目名】００２１
【補正方法】変更
【補正の内容】
【００２１】
図１には、本発明の記録媒体に対する読み取りおよび／または書き込み装置、例えばテープレコーダの読み取りユニットが、全体として参照番号１によって示されている。レーザダイオード２は、直線偏光に対する発散光源を形成している。発散光ビームは平行な光束４を形成するために凸レンズ３を用いて収束される。平行光束４は円柱レンズ６に衝突する。凸レンズ６は光束４を細長い磁気光学変換器７の一方の側において収束する。磁気光学変換器は所謂ライン・フォーカスを形成するために磁気テープに接触する。入射光は、磁気テープ８に対向している境界面９において反射される。磁気光学カー効果のために、隣接する磁気テープ８の磁化によって生成される漂遊磁界は、反射光の偏光面が同時に、入射光に関して所定の角度だけ回転されるように作用する。第２の境界面１１において更に反射された後、光は磁気光学変換器７から発散モードにおいて別の方向に出射する。この発散ビームは第２の円柱レンズ１２を用いて１平面内に収束されて再構成される。円柱レンズ１２はこのようにして生成されたラインフォーカスをホトセンサに結像する。ホトセンサはリニアＣＣＤエレメント１３として構成されている。第２の円柱レンズ１２とＣＣＤエレメント１３との間のビーム路にアナライザー１４が配置されている。このアナライザーは、偏光面がレーザビームの偏光面に相応している光が透過されるようにセットされている。結果的に、アナライザー１４は、磁気光学変換器における反射に基づいた磁気光学カー効果によって偏光面が回転された光ビームを減衰する。